(57)【要約】      （修正有）【課題】利用者の利便性を向上させることができる紙葉類照合装置、紙葉類照合システム、紙葉類照合方法および紙葉類照合プログラムを提供する。【解決手段】実施形態の紙葉類照合装置３００は、表示部と、取得部と、推定部と、制御部とを持つ。表示部は画像を表示する。取得部は、第１の装置から複数の紙葉類の識別情報および複数の紙葉類の区切り位置に対応付けられたストラップ情報と、第２の装置から紙葉類の識別情報とを取得する。推定部は、取得部により第２の装置から取得された紙葉類の識別情報とストラップ情報との関係を、第２の装置から取得された紙葉類の識別情報と、第１の装置から取得された複数の紙葉類の識別情報とを対比することにより推定する。制御部は、推定部の推定結果に基づいて第１の装置および第２の装置により取得された識別情報と、ストラップ情報に対応する区切り位置との関係を視認可能に表示部に表示させる。【選択図】図１
2016170673.tif 000002
【特許請求の範囲】
【請求項１】
画像を表示する表示部と、
紙葉類を検査する第１の装置から、前記第１の装置により取得された複数の紙葉類の識別情報、および前記複数の紙葉類の区切り位置に対応付けられたストラップ情報を取得すると共に、前記第１の装置の検査により更なる検査が必要であると判定された前記紙葉類を検査する第２の装置から、前記第２の装置により取得された前記紙葉類の識別情報を取得する取得部と、
前記取得部により前記第２の装置から取得された前記紙葉類の識別情報と前記ストラップ情報との関係を、前記取得部により前記第２の装置から取得された前記紙葉類の識別情報と、前記取得部により前記第１の装置から取得された複数の紙葉類の識別情報とを対比することにより推定する推定部と、
前記推定部の推定結果に基づいて、前記取得部により前記第１の装置から取得された複数の紙葉類の識別情報と、前記取得部により前記第２の装置から取得された前記紙葉類の識別情報と、前記ストラップ情報に対応する区切り位置との関係を視認可能に前記表示部に表示させる制御部と、
を備える紙葉類照合装置。
【請求項２】
前記推定部は、前記取得部により第１の装置から取得された紙葉類の識別情報のうち、前記取得部により前記第２の装置から取得された前記紙葉類の識別情報との合致度が第１の基準以上である紙葉類の識別情報を抽出し、前記抽出した紙葉類の識別情報と前記ストラップ情報との関係から、前記第２の装置から取得された前記紙葉類の識別情報と前記ストラップ情報との関係を推定する、
請求項１記載の紙葉類照合装置。
【請求項３】
前記推定部は、前記取得部により第１の装置から取得された紙葉類の識別情報のうち、前記取得部により前記第２の装置から取得された前記紙葉類の識別情報との合致度が第１の基準以上かつ第２の基準未満である紙葉類の識別情報を抽出し、
前記制御部は、前記合致度が第１の基準以上かつ第２の基準未満である紙葉類について、注意喚起する画像と共に前記表示部に表示させる、
請求項２記載の紙葉類照合装置。
【請求項４】
前記推定部は、前記取得部により第１の装置から取得された紙葉類の識別情報のうち、前記取得部により前記第２の装置から取得された前記紙葉類の識別情報との合致度が第１の基準未満である場合、前記第２の装置から取得された前記紙葉類の識別情報の直前と直後に前記推定部により推定されたストラップ情報に基づいて、前記第２の装置から取得された前記紙葉類の識別情報に対応するストラップ情報を推定する、
請求項２または請求項３記載の紙葉類照合装置。
【請求項５】
前記取得部は、前記第１の装置から、前記第１の装置により取得された前記複数の紙葉類の識別情報に対応付けられた紙葉類が撮像された画像を取得すると共に、前記第２の装置から、前記第２の装置により取得された前記紙葉類の識別情報に対応付けられた紙葉類が撮像された画像を取得し、
前記制御部は、前記推定部の推定結果に基づいて、前記取得部により前記第１の装置から取得された画像と、前記取得部により前記第２の装置から取得された画像とを、前記ストラップ情報に対応する区切り位置との関係を視認可能に前記表示部に表示させる、
請求項１から４のうちいずれか１項記載の紙葉類照合装置。
【請求項６】
利用者の入力操作に基づいて、前記推定部により推定された、前記取得部により前記第２の装置から取得された前記紙葉類の識別情報と前記ストラップ情報との関係の修正を受け付ける修正受付部を備え、
前記制御部は、前記修正受付部により受け付けられた前記利用者の入力操作に基づいて、前記取得部により前記第１の装置から取得された複数の紙葉類の識別情報と、前記取得部により前記第２の装置から取得された前記紙葉類の識別情報と、前記ストラップ情報に対応する区切り位置との関係を視認可能に前記表示部に表示させる、
請求項１から５のうちいずれか１項記載の紙葉類照合装置。
【請求項７】
前記表示部は、利用者の入力操作を受け付け可能なタッチパネル式の表示部であり、
前記修正受付部は、前記利用者により、前記第２の装置から取得された前記紙葉類の識別情報に対し、前記区切り位置を超えて移動させる操作がなされた場合に、記取得部により前記第２の装置から取得された前記紙葉類の識別情報と前記ストラップ情報との関係の修正を受け付ける、
請求項６記載の紙葉類照合装置。
【請求項８】
請求項１から７のうちいずれか１項記載の紙葉類照合装置と、
紙葉類を検査する装置であって、複数の紙葉類の識別情報、および前記複数の紙葉類の区切り位置に対応付けられたストラップ情報を取得し、前記取得した前記複数の紙葉類の識別情報および前記ストラップ情報を前記紙葉類照合装置に送信する前記第１の装置と、
前記第１の装置の検査により更なる検査が必要であると判定された前記紙葉類を検査する装置であって、前記紙葉類の識別情報を取得し、前記取得した紙葉類の識別情報を前記紙葉類照合装置に送信する第２の装置と、
を備える紙葉類照合システム。
【請求項９】
紙葉類を検査する第１の装置から、前記第１の装置により取得された複数の紙葉類の識別情報、および前記複数の紙葉類の区切り位置に対応付けられたストラップ情報を取得すると共に、前記第１の装置の検査により更なる検査が必要であると判定された前記紙葉類を検査する第２の装置から、前記第２の装置により取得された前記紙葉類の識別情報を取得し、
前記取得された前記第２の装置から取得された前記紙葉類の識別情報と前記ストラップ情報との関係を、前記取得された前記第２の装置から取得された前記紙葉類の識別情報と、前記取得された前記第１の装置から取得された複数の紙葉類の識別情報とを対比することにより推定し、
前記推定された推定結果に基づいて、前記取得された前記第１の装置から取得された複数の紙葉類の識別情報と、前記取得された前記第２の装置から取得された前記紙葉類の識別情報と、前記ストラップ情報に対応する区切り位置との関係を視認可能に画像を表示する表示部に表示させる、
を備える紙葉類照合方法。
【請求項１０】
コンピュータに
紙葉類を検査する第１の装置から、前記第１の装置により取得された複数の紙葉類の識別情報、および前記複数の紙葉類の区切り位置に対応付けられたストラップ情報を取得すると共に、前記第１の装置の検査により更なる検査が必要であると判定された前記紙葉類を検査する第２の装置から、前記第２の装置により取得された前記紙葉類の識別情報を取得させ、
前記取得された前記第２の装置から取得された前記紙葉類の識別情報と前記ストラップ情報との関係を、前記取得された前記第２の装置から取得された前記紙葉類の識別情報と、前記取得された前記第１の装置から取得された複数の紙葉類の識別情報とを対比することにより推定させ、
前記推定された推定結果に基づいて、前記取得された前記第１の装置から取得された複数の紙葉類の識別情報と、前記取得された前記第２の装置から取得された前記紙葉類の識別情報と、前記ストラップ情報に対応する区切り位置との関係を視認可能に画像を表示する表示部に表示させる、
を備える紙葉類照合プログラム。
【発明の詳細な説明】
【技術分野】
【０００１】
本発明の実施形態は、紙葉類照合装置、紙葉類照合システム、紙葉類照合方法および紙葉類照合プログラムに関する。
【背景技術】
【０００２】
従来、被検査媒体である紙葉類が重ねられ帯で施封された紙葉類把の帯を解封して紙葉類を１枚ずつ取り込み、取り込まれた紙葉類を搬送し、紙葉類を検査する紙葉類処理装置が知られている。また、この装置において、再検査が必要と判定された紙葉類は、排除券として排除され、他の処理装置に取り込まれて再検査される。従来の技術では、他の装置において排除券がどの紙葉類の把に属していたか認識できなかったため、利用者にとって利便性が低い場合があった。
【先行技術文献】
【特許文献】
【０００３】
【特許文献１】特開２０１４−１８６３７３号公報
【発明の概要】
【発明が解決しようとする課題】
【０００４】
本発明が解決しようとする課題は、利用者の利便性を向上させることができる紙葉類照合装置、紙葉類照合システム、紙葉類照合方法および紙葉類照合プログラムを提供することである。
【課題を解決するための手段】
【０００５】
実施形態の紙葉類照合装置は、表示部と、取得部と、推定部と、制御部とを持つ。表示部は画像を表示する。表示部は、画像を表示する。取得部は、紙葉類を検査する第１の装置から、前記第１の装置により取得された複数の紙葉類の識別情報、および前記複数の紙葉類の区切り位置に対応付けられたストラップ情報を取得すると共に、前記第１の装置の検査により更なる検査が必要であると判定された前記紙葉類を検査する第２の装置から、前記第２の装置により取得された前記紙葉類の識別情報を取得する。推定部は、前記取得部により前記第２の装置から取得された前記紙葉類の識別情報と前記ストラップ情報との関係を、前記取得部により前記第２の装置から取得された前記紙葉類の識別情報と、前記取得部により前記第１の装置から取得された複数の紙葉類の識別情報とを対比することにより推定する。制御部は、前記推定部の推定結果に基づいて、前記取得部により前記第１の装置から取得された複数の紙葉類の識別情報と、前記取得部により前記第２の装置から取得された前記紙葉類の識別情報と、前記ストラップ情報に対応する区切り位置との関係を視認可能に前記表示部に表示させる。
【図面の簡単な説明】
【０００６】
【図１】実施形態の紙葉類照合システム１の構成図。
【図２】実施形態における束Ｂの斜視図。
【図３】実施形態における把ＳＢおよび紙葉類Ｐの斜視図。
【図４】本体処理装置１００の外観斜視図。
【図５】図４の本体処理装置１００の構成例を示す図。
【図６】実施形態の紙葉類照合システム１における束の取込み、切出し、小帯除去、ばら券供給の工程を示す図。
【図７】図４および図５の本体処理装置１００の制御系の構成例を示す図。
【図８】紙葉類把ＳＢの準備の処理の流れを示すフローチャート。
【図９】本体処理装置１００により実行される処理の流れを示すフローチャート。
【図１０】精査装置２００の構成の例を示す図。
【図１１】精査装置２００により実行される処理の流れを示すフローチャート。
【図１２】紙葉類照合装置３００の機能構成を示す図。
【図１３】情報テーブル３６２として格納される情報の一部を示す図。
【図１４】紙葉類照合装置３００により実行される処理の流れを示すフローチャート。
【図１５】ストラップ番号ごとに区切り位置を示して紙葉類Ｐを一覧表示する画像ＩＭの一例を示す図。
【図１６】区切り位置の修正について説明するための画像の一例を示す図。
【図１７】ステップＳ３０４の照合処理の詳細を示すフローチャート。
【図１８】入力／表示部３５０に表示される画像ＩＭ３の一例を示す図。
【図１９】ステップＳ４０４の処理の判定により入力／表示部３５０に表示される情報を示す画像の一例を示す図。
【発明を実施するための形態】
【０００７】
以下、実施形態の紙葉類照合装置、紙葉類照合システム、紙葉類照合方法および紙葉類照合プログラムを、図面を参照して説明する。なお、紙葉類Ｐは、例えば紙幣があげられるが、紙幣に限られない。
【０００８】
まず、実施形態の紙葉類照合システム１を説明する。図１は、実施形態の紙葉類照合システム１の構成図である。紙葉類処理システム１は、少なくとも１台以上の紙葉類処理装置の本体処理装置１００と、精査装置２００と、紙葉類照合装置３００と、ホストサーバ４００とを備える。本体処理装置１００、精査装置２００、および紙葉類照合装置３００は、ＬＡＮ（Local Area Network）等のネットワークで接続されている。
【０００９】
本体処理装置１００は、１００枚の紙葉類Ｐを小帯ＳＢｗでまとめたもの（以下、「把」と称する）が大帯Ｂｗで１０把まとめられたもの（以下、「束」と称する）を導入し、大帯を自動的に破封して、１把ずつ取り込む。紙葉類Ｐとは、例えば紙幣である。更に本体処理装置１００は、取り込んだ把の小帯ＳＢｗを自動的に破封して紙葉類を１枚ずつ取り込む。本体処理装置１００は、取り込んだ紙葉類Ｐの券種、汚損度、および真偽などを検査する。本体処理装置１００は、再使用が可能であると判断した紙葉類Ｐを計数する。また、本体処理装置１００は、検査済みの再使用可能な紙葉類Ｐを結束して排出する。また、本体処理装置１００は、紙葉類Ｐの画像を取得する撮像装置を有しており、撮像装置が取得した画像から紙葉類Ｐの個々の紙葉類番号部分を切り出して、文字認識する文字認識機能を備えている。認識した紙葉類番号はそれぞれの紙葉類の検査結果と紐づけて後述する主制御部１５１で管理する。紙葉類番号とは、紙葉類Ｐを識別するための識別番号である。
【００１０】
精査装置２００は、本体処理装置１００で一度排除された券（排除券）を、本体処理装置１００よりも低速で、より精緻に再検査する。精査装置２００は、紙葉類Ｐの計数結果、紙葉類Ｐの種別、紙葉類Ｐの紙葉類番号、バッチカード番号、および判定結果などを排除券である紙葉類Ｐの束ごとに対応付ける。精査装置２００は、対応付けられた再検査結果（バッチカード番号、紙葉類Ｐの種別、枚数、および判定結果を含む）を紙葉類照合装置３００に送信する。
【００１１】
紙葉類照合装置３００は、本体処理装置１００から送信された検査結果と紙葉類番号にインデックスを付し、紙葉類照合装置３００内の記憶媒体に格納する。本体処理装置１００が有効性を判別できないと判定した紙葉類Ｐは排除券として排出される。排除券に対しては１アイテムずつの画像、個々の検査項目の検査結果、紙葉類番号のうち読み取りができたすべての桁（文字）が、本体処理装置１００から紙葉類照合装置３００に送信される。紙葉類照合装置３００は、本体処理装置１００から送信された情報にインデックスを付して紙葉類照合装置３００内の記憶媒体に格納する。また、本体処理装置１００、および精査装置２００を操作するオペレータは、本体処理装置１００から排出された排除券を精査装置２００に投入する。精査装置２００は、投入された排除券を再検査する。この場合、精査装置２００は、本体処理装置１００と同様に紙葉類ＰとバッチカードＢＣとの束を処理する。
【００１２】
紙葉類照合装置３００は、精査装置２００から送信された再検査結果を本体処理装置１００から送信された検査結果に組み合わせ、組み合わされた検査結果を紙葉類照合装置３００内の記憶媒体に格納する。例えば、紙葉類照合装置３００は、再検査結果を、再検査結果に含まれている識別情報と一致する識別情報を含む検査結果に加算する。入金バッチの精査が完了すると、オペレータの指示により、紙葉類照合装置３００が入金データと検査・精査した紙葉類Ｐの計数データとを照合する。
【００１３】
ホストサーバ４００は、紙葉類照合装置３００が本体処理装置１００、または精査装置２００から取得した情報を、管理および蓄積する。また、ホストサーバ４００は、紙葉類照合装置３００が処理した結果を管理する。
【００１４】
図２は、実施形態における束Ｂの斜視図である。図３は、実施形態における把ＳＢおよび紙葉類Ｐの斜視図である。把ＳＢは、複数枚の紙葉類Ｐを小帯ＳＢｗにより施封した束である。小帯ＳＢｗは、紙葉類Ｐの短辺方向に巻き付けられる。小帯ＳＢｗは、例えば紙帯等の結束材である。小帯ＳＢｗには、バーコードＳＢｂが貼られている。バーコードＳＢｂに埋め込まれた情報は、把ＳＢに束ねられた複数枚の紙葉類Ｐに共通した把情報である。把情報は、把ＳＢを識別するストラップ番号、銀行名、支店名、取り扱い者、または取り扱い日時等の把ＳＢごとの情報である。実施形態において、バーコードＳＢｂが小帯ＳＢｗに貼られた例について説明するが、把情報が小帯ＳＢｗに文字として印刷されていてもよい。
【００１５】
束Ｂは、把ＳＢを短辺方向に１０把重ねて大帯Ｂｗにより施封したものである。図２に示した束Ｂには、束Ｂを識別するための一次バッチカードＢＣが所定数の把ＳＢと共に施封されている。大帯Ｂｗは、把ＳＢの厚さ方向および短辺方向に亘り、２カ所に巻き付けられる。大帯Ｂｗは、ゴム紐等の伸縮可能な結束材である。
【００１６】
［本体処理装置１００］
図４は、本体処理装置１００の外観斜視図である。本体処理装置１００は、装置外部に、束投入部１０５、操作部１３６、操作表示部１３７、取出部１３９、およびキーボード１４０を備えている。束投入部１０５は、例えば紙幣などの紙葉類Ｐである紙葉類把ＳＢを一括して投入するための構成である。
【００１７】
束投入部１０５は、一つの回収機関から一度に入金された紙葉類束Ｂを１つの入金バッチとしてひとまとまりにして、複数の回収機関からの複数の入金バッチを一括して投入する。異なる回収機関あるいは異なる機会に入金された紙葉類束Ｂを区別するため、固有の識別情報を有するバッチカードＢＣが挿入されている。
【００１８】
操作部１３６は、オペレータによる各種操作入力を受け付ける。操作表示部１３７は、オペレータに対して各種の操作案内、および処理結果などを表示する。なお、操作表示部１３７は、タッチパネルとして構成されていてもよい。この場合、本体処理装置１００は、操作表示部１３７に表示されるボタンと、操作表示部１３７に対するオペレータによる操作とに基づいて、各種の操作入力を検知する。
【００１９】
取出部１３９は、本体処理装置１００により再流通不可と判断された紙葉類Ｐがスタックされる集積部から紙葉類Ｐを取り出す為の構成である。キーボード１４０は、オペレータによる各種操作入力を受け付ける入力部として機能する。
【００２０】
図５は、図４の本体処理装置１００の構成例を示す図である。本体処理装置１００は、装置内部に、束投入部１０５、束切出部１０６（図６参照）、小帯除去部１０７（図６参照）、積層券供給部１１２、１枚取出部１１３、吸着ローラ１１４、搬送路１１５、検査部１１６、ゲート１２０乃至１２５、排除搬送路１２６、排除集積部１２７、集積・結束部１２８乃至１３１、裁断部１３３、スタッカ１３４、および取出部１３９を備える。また、本体処理装置１００は、主制御部１５１を備える。主制御部１５１は、本体処理装置１００の各部の動作を統合的に制御する。
【００２１】
束投入部１０５はオペレータが検査しようとする紙葉類把ＳＢを本体処理装置１００に投入する部位である。立位状態で複数の紙葉類把ＳＢが束投入部１０５に投入され、オペレータから検査開始の指示が出されると、束投入部１０５は本体処理装置１００に紙葉類把ＳＢを送り込み検査が開始される。紙葉類把ＳＢの取込み、切出し、小帯除去、ばら券供給の工程を図６に示す。
【００２２】
束切出部１０６は、ベルトおよびピッカー等により構成され、送り込まれた複数把の紙葉類束Ｂから１把ずつピッカーが把の底面を引っかけて持ち上げる手順で１把のみ切り出して小帯除去部１０７に送り込む。小帯除去部１０７では、例えば把の側端面部にカッターを走らせて小帯の一部を切断し、摩擦部材で小帯を挟んで引きはがすような手順で紙葉類把ＳＢから小帯を取り除く。小帯が外されたばらの紙葉類Ｐの把は１００枚ずつ積層券供給部１１２に送られる。
【００２３】
１枚取出部１１３は、積層券供給部１１２の上部に設けられる。１枚取出部１１３は、吸着ローラ１１４を備えている。吸着ローラ１１４は、積層券供給部１１２にセットされた紙葉類Ｐを集積方向の上端に接するように設けられている。即ち、吸着ローラ１１４は、回転することにより、積層券供給部１１２にセットされた紙葉類Ｐを集積方向の上端から１枚ずつ装置内部に取り込む。吸着ローラ１１４は、例えば１回転するごとに１枚の紙葉類Ｐを取出すように機能する。これにより吸着ローラ１１４は、紙葉類Ｐを一定のピッチで取出す。吸着ローラ１１４により取り込まれた紙葉類Ｐは、搬送路１１５に導入される。また、吸着ローラ１１４は、例えば真空ポンプによる吸引力を使って紙葉類Ｐの表面に吸着して取り出す吸着ロータを備える構成であってもよい。
【００２４】
搬送路１１５は、紙葉類Ｐを本体処理装置１００内の各部に搬送する。搬送路１１５は、図示しない搬送ベルトおよび駆動プーリなどを備えている。搬送路１１５は、図示しない駆動モータおよび駆動プーリにより搬送ベルトを動作させる。搬送路１１５は、吸着ローラ１１４により取り込まれた紙葉類Ｐを搬送ベルトにより一定速度で搬送する。なお、搬送路１１５における１枚取出部１１３に近い側を上流側、スタッカ１３４に近い側を下流側として説明する。
【００２５】
１枚取出部１１３から延びた搬送路１１５上には、検査部１１６が設けられている。検査部１１６は、画像読取装置１１７、画像読取装置１１８、および厚み検査部１１９を備えている。検査部１１６は、紙葉類Ｐの光学的特徴情報、機械的特徴、および磁気的特長情報を検出する。これにより、本体処理装置１００は、紙葉類Ｐの種類（券種）、汚損度、および真偽等を検知する。
【００２６】
画像読取装置１１７、および１１８は、それぞれ搬送路１１５を挟んで対面するように設けられている。画像読取装置１１７、および１１８は、搬送路１１５を搬送される紙葉類Ｐの両面の画像を読み取る。画像読取装置１１７、および１１８は、それぞれ、イメージセンサを備える。本体処理装置１００は、画像読取装置１１７、および１１８により撮像した画像に基づいて、紙葉類Ｐの表面および裏面の模様画像を取得する。また、画像読取装置１１７、および１１８は、バッチカードＢＣに印字された識別情報の画像を取得し、取得した画像を主制御部１５１に送信する。
【００２７】
画像読取装置１１７、および１１８は、読み取った画像を検査部１１６内の図示しないメモリに一時的に記憶する。本体処理装置１００は、このメモリに記憶されている画像を操作入力に応じて操作表示部１３７に表示することができる。厚み検査部１１９は、搬送路１１５を搬送される紙葉類Ｐの厚みを検査する。例えば、検出した厚みが規定値以上である場合、本体処理装置１００は、紙葉類Ｐの２枚取りを検出する。
【００２８】
また、検査部１１６は、図示しない磁気センサなどを備えている。磁気センサは、紙葉類Ｐの磁気的な特徴情報を検出する。主制御部１５１は、画像読取装置１１７、１１８、厚み検査部１１９、および磁気センサなどによる検出結果に基づいて、各種の判別を行う。例えば、主制御部１５１は、紙葉類Ｐの券種（denomination）を判定する。同じく主制御部１５１は、画像読取装置１１７の取得画像から紙葉類番号部分を切出して、文字認識機能(Optical Character Recognition)により紙葉類番号を認識する。また、主制御部１５１は、紙葉類Ｐの真偽（authentication）を判定する。すなわち、主制御部１５１は、紙葉類Ｐが真券(genuine)であるか、偽券(counterfeit/altered)であるかを判定する。
【００２９】
また、主制御部１５１は、紙葉類Ｐの正損（fitness）を検知する。即ち、主制御部１５１は、紙葉類Ｐが再流通可能（recirculatable）な正券（fit note）であるか、再流通不可能（unrecirculatable）な損券（unfit note）であるかを判定する。
【００３０】
さらに、主制御部１５１は、紙葉類Ｐが排除券であるか否か判定する。すなわち、主制御部１５１は、偽変造券と判定された紙葉類Ｐ、または厚み検査部１１９により重なりが検知された紙葉類Ｐ、または判別が不可能であった紙葉類Ｐを排除券と判定する。また、主制御部１５１は、搬送経路中で前の紙葉類Ｐと後ろの紙葉類Ｐとの間隔が短い為に各検出器による検出が正しく行われないショートピッチが発生した紙葉類Ｐを排除券と判定する。
【００３１】
また、主制御部１５１は、画像読取装置１１７および１１８により取得されたバッチカードＢＣの識別情報の画像に基づいて、バッチカードＢＣの識別情報をバッチカード番号として認識することができる。また、主制御部１５１は、束切出部１０６で紙葉類把ＳＢが１把ずつ切り出される都度、ストラップ情報であるストラップ番号を発番する。本体処理装置１００は、正券と判定した紙葉類Ｐを集積・結束部１２８乃至１３１に搬送する。また、本体処理装置１００は、損券と判定した紙葉類Ｐを裁断部１３３に搬送する。裁断部１３３は、搬送される損券を裁断する。なお、本体処理装置１００は、損券を集積・結束部１３０ないし１３１に搬送し集積してもよい。例えば、集積・結束部１３０は、集積した損券が例えば１００枚に到達するごとに施封を行う。
【００３２】
本体処理装置１００は、排除券と判定した紙葉類Ｐを排除集積部１２７に搬送する。排除券は、例えば、２枚取り券などの搬送異常券、折れまたは破れなどが存在する不良券、および適用外券種または偽券、変造券などの判別不能券を含む。また、本体処理装置１００は、紙葉類Ｐおよび１入金の紙葉類Ｐに付属するバッチカードＢＣを排除券として排除集積部１２７に搬送する。
【００３３】
検査部１１６の下流側の搬送路１１５上には、ゲート１２０乃至１２５が順に配設されている。ゲート１２０乃至１２５は、それぞれ、主制御部１５１により制御される。主制御部１５１は、検査部１１６による検査の結果に基づいて各ゲート１２０乃至１２５の動作を制御する。これにより、主制御部１５１は、搬送路１１５を搬送されている紙葉類Ｐを所定の処理部に搬送するように制御する。
【００３４】
検査部１１６の直後に配設されたゲート１２０は、搬送路１１５を排除搬送路１２６に分岐する。即ち、ゲート１２０は、検査部１１６による検査の結果、真券ではないと判定された排除券、または、検査部１１６による検査を行うことができない検査不能券等を排除搬送路１２６に搬送するように切り替えられる。
【００３５】
排除搬送路１２６の終端部には、排除集積部（排除部）１２７が設けられている。排除集積部１２７は、１枚取出部１１３にて取出した姿勢のまま、上記したような排除券、および検査不能券を集積する。排除集積部１２７に集積された紙葉類Ｐは、取出部１３９から取り出すことができる。
【００３６】
また、ゲート１２１乃至１２４により分岐される先には、集積・結束部１２８乃至１３１（総じて集積結束部１３２と称する）がそれぞれ設けられている。集積・結束部１３２には、再流通可能であると判定された紙葉類Ｐが券種および表裏ごとに区別されて集積される。集積・結束部１３２は、集積した紙葉類Ｐを所定枚数ごとに結束して格納する。
【００３７】
ゲート１２５により分岐される先には、裁断部１３３が配設されている。裁断部１３３は、紙葉類Ｐを裁断して収納する。ゲート１２５に搬送される紙葉類Ｐは、正規の紙葉類Ｐであり、且つ、再流通が不可能であると判定された紙葉類Ｐ（損券）である。
【００３８】
また、ゲート１２５により分岐される他方の搬送路の先には、スタッカ１３４が配設されている。主制御部１５１は、損券裁断モードが選択されている場合、紙葉類Ｐを裁断部１３３に搬送するようにゲート１２５を制御する。また、主制御部１５１は、損券裁断モードが選択されていない場合、紙葉類Ｐをスタッカ１３４に搬送するようにゲート１２５を制御する。
【００３９】
なお、オペレータは、操作部１３６、操作表示部１３７、およびキーボード１４０などを操作することにより、本体処理装置１００に処理させる紙葉類Ｐの種類（券種）を任意で設定させることができる。また、本体処理装置１００の構成によっては多数の集積・結束部を接続することによって、複数の種類（券種）の紙葉類Ｐをまとめて処理させることもできる。
【００４０】
なお、主制御部１５１は、集積・結束部１３２または裁断部１３３に搬送された紙葉類Ｐの紙葉類の計数結果、紙葉類Ｐの種別、紙葉類番号、バッチカード番号、ストラップ番号、および判定結果などを対応付けて、検査結果として記憶する。また、主制御部１５１は、検査結果を紙葉類照合装置３００に送信する。
【００４１】
図７は、図４および図５の本体処理装置１００の制御系の構成例を示す図である。本体処理装置１００は、主制御部１５１、検査部１１６、搬送制御部１５２、裁断制御部１５６、操作表示部１３７、キーボード１４０等を備える。また、本体処理装置１００は、プリンタ１４１、ジャーナルプリンタ１４２、ＵＳＢハブ１６１、前処理コントローラ１６５、トランスポートコントローラ１６２、バンダーコントローラ１６３、および検知コントローラ１６４などを備える。主制御部１５１は、本体処理装置１００の全体的な制御を司る。主制御部１５１は、例えば、ＰＣ（パーソナルコンピュータ）等の一部により実現することができる。
【００４２】
主制御部１５１は、操作表示部１３７により入力される操作、および検査部１１６による検査結果に基づき、搬送制御部１５２および裁断制御部１５６を制御する。また、主制御部１５１は、処理結果などをプリンタ１４１により帳票として出力することができる。また、主制御部１５１には、ＵＳＢハブ１６１が接続されている。ＵＳＢハブ１６１には、前処理コントローラ１６５、トランスポートコントローラ１６２、バンダーコントローラ１６３、および検知コントローラ１６４などが接続されている。
【００４３】
主制御部１５１は、トランスポートコントローラ１６２を介して、搬送制御部１５２、裁断制御部１５６、および１枚取出部１１３などの動作を制御することができる。また、主制御部１５１は、バンダーコントローラ１６３を介して、集積・結束部１２８乃至１３１の動作を制御することができる。同じく主制御部１５１は、前処理コントローラ１６５を介して、束投入部１０５、束切出部１０６、小帯除去部１０７、積層券供給部１１２などの動作を制御することができる。また、主制御部１５１は、検知コントローラ１６４を介して、検査部１１６の各検出機器の動作を制御することができる。例えば、操作員は、操作表示部１３７またはキーボード１４０により、処理する紙葉類Ｐに対する各種の判定における処理項目ごとの閾値、紙葉類Ｐの供給元の名称、および処理方法などを入力する。
【００４４】
検査部１１６は、上記したように、画像読取装置１１７、および１１８、および厚み検査部１１９などを備える。搬送制御部１５２は、主制御部１５１の制御に基づき、１枚取出部１１３、搬送路１１５、排除搬送路１２６、およびゲート１２０乃至１２５を制御する。これにより、搬送制御部１５２は、紙葉類Ｐの取り込み、および搬送を制御する。また、搬送制御部１５２は、判定した紙葉類Ｐの券種ごとに区分する区分処理を行う。即ち、搬送制御部１５２は、区分処理部として機能する。例えば、搬送制御部１５２は、損券と判定された紙葉類Ｐを裁断部１３３、またはスタッカ１３４に搬送するようにゲート１２０乃至１２５を制御する。また、搬送制御部１５２は、排除券と判定された紙葉類ＰおよびバッチカードＢＣを排除集積部１２７に搬送するようにゲート１２０乃至１２５を制御する。
【００４５】
バンダーコントローラ１６３は、主制御部１５１の制御に基づき、排除集積部１２７および集積・結束部１２８乃至１３１を制御する。これにより、バンダーコントローラ１６３は、紙葉類Ｐの集積、および結束の制御を行なう。
【００４６】
裁断制御部１５６は、主制御部１５１の制御に基づき、裁断部１３３の動作を制御する。これにより、裁断部１３３は、搬送される紙葉類Ｐの裁断を行う。また、主制御部１５１は、検査部１１６の各検査器による検査項目ごとの閾値（第１の判定閾値）を予め記憶するメモリ１５１ａを備える。主制御部１５１は、検査部１１６の各検査器により検出された検出値と、メモリ１５１ａに記憶されている閾値とを比較し、比較結果に基づいて紙葉類Ｐの券種、真偽、正損、紙葉類番号の文字認識、バッチカードＢＣの識別情報の認識、紙葉類Ｐが排除券であるか否かなどを判定する。なお、メモリ１５１ａに記憶されている第１の判定閾値は、操作部１３６、操作表示部１３７、およびキーボード１４０などに対する入力に基づいて変更されてもよい。
【００４７】
次に、本体処理装置１００により実行される処理について説明する。まず、オペレータが、本体処理装置１００に取り込むための紙葉類把ＳＢの準備を行う。図８は、紙葉類把ＳＢの準備の処理の流れを示すフローチャートである。まず、オペレータが紙葉類束Ｂを解封し（ステップＳ１００）、本体処理装置１００に接続された端末装置（不図示）を用いて、紙葉類束Ｂの入金データを確認する（ステップＳ１０２）。次に、オペレータは、バーコードリーダ等でバッチカード番号を読み取り（ステップＳ１０４）、バッチカード番号を登録する（ステップＳ１０６）。次に、オペレータは、先頭の紙葉類把ＳＢにバッチカードＢＣを添付する（ステップＳ１０８）。次に、本体処理装置１００の束投入部１０５に紙葉類Ｐを投入する（ステップＳ１１０）。
【００４８】
図９は、本体処理装置１００により実行される処理の流れを示すフローチャートである。まず、束投入部１０５が紙葉類Ｐを取り込み（ステップＳ１５０）。次に、主制御部１５１が、束切出部１０６を制御して、ステップＳ１５０で取り込まれた先頭の紙葉類把ＳＢを切り出し、１つの把を取り出す（ステップＳ１５２）。次に、主制御部１５１は、ステップＳ１５２で束切出部１０６で紙葉類把ＳＢが１把ずつ切り出される都度、ストラップ番号を発番する（ステップＳ１５４）。ストラップ番号は、紙葉類Ｐの把ごとに付与される。次に、主制御部１５１は、小帯除去部１０７を制御してステップＳ１５２で切り出された銀行の１把の小帯を切断する（ステップＳ１５６）。次に、主制御部１５１は、１枚取出部１１３を制御して、ステップＳ１５６で小帯が切断された紙葉類Ｐを１枚ずつ取り出す（ステップＳ１５８）。次に、主制御部１５１は、画像読取装置１１７、および画像読取装置１１８から紙葉類Ｐが撮像された画像を取得し、および取得した画像の特徴（光学的特徴を示す情報）を認識する（ステップＳ１６０）。
【００４９】
次に、主制御部１５１は、ステップＳ１６０で取得された画像がバッチカードＢＣであるか否かを判定する（ステップＳ１６２）。主制御部１５１は、例えばステップＳ１６０で認識された画像における光学的特徴情報が、事前にバッチカードＢＣが撮像された画像における光学的特徴と合致するか否かにより、ステップＳ１６０で取得された画像がバッチカードＢＣであるか否かを判定する。合致とは、完全一致の他、部分一致も含む。ステップＳ１６０で取得された画像がバッチカードＢＣであると判定された場合、主制御部１５１は、ステップＳ１６０で取得された画像からバッチカード番号を読み取る（ステップＳ１６４）。主制御部１５１は、搬送制御部１５２を制御してステップＳ１６４でバッチカード番号が読み込まれたバッチカードＢＣを排除集積部１２７に搬送させる（ステップＳ１６６）。
【００５０】
ステップＳ１６０で取得された画像がバッチカードＢＣでないと判定された場合、主制御部１５１は、ステップＳ１６０で取得した画像から紙葉類番号を読み取る（ステップＳ１６８）。次に、主制御部１５１は、ステップＳ１６０で取得された画像における紙葉類Ｐが有効な紙葉類Ｐであるか否かを判定する（ステップＳ１７０）。主制御部１５１は、画像における光学的特徴情報が、自装置の記憶領域に予め記憶された真券の光学的特徴と合致するか否かにより、ステップＳ１６０で取得された画像が有効であるか否かを判定する。また、主制御部１５１は、ステップＳ１６０で取得された画像における紙葉類Ｐの券種、汚損度、紙葉類Ｐが複数枚重ねて取り出された状態であるか否か等を判定する。
【００５１】
次に、主制御部１５１は、ステップＳ１７０の判定結果に基づいて、ゲート１２１乃至１２４を制御して、ステップＳ１７０で有効と判定された紙葉類Ｐを集積結束部１３２や、裁断部１３３等の各部に搬送する（ステップＳ１７２）。なお、主制御部１５１は、厚み検査部１１９により重なりが検知された紙葉類Ｐである場合、排除券を排除集積部１２７に搬送するようにゲート１２０乃至１２５を制御する。
【００５２】
次に、主制御部１５１が、ステップＳ１００で束投入部１０５から取り込まれた次の紙葉類Ｐがあるか否かを判定する（ステップＳ１７４）。ステップＳ１７４の判定で次の紙葉類Ｐがある場合、ステップＳ１５８の処理に戻る。ステップＳ１７４の判定で次の紙葉類Ｐがない場合、主制御部１５１は、ステップＳ１５４でストラップ番号を発番した紙葉類把ＳＢの処理をクローズし（ステップＳ１７６）、紙葉類照合装置３００に上述したステップＳ１５０からステップＳ１７６までの処理結果、および処理に用いた情報を送信して（ステップＳ１７８）、本体処理装置１００による処理をクローズする（ステップＳ１８０）。これにより本フローチャートの処理を終了する。
【００５３】
［精査装置２００］
図１０は、精査装置２００の構成の例を示す図である。精査装置２００は、装置外部に、積層券投入部２１２、および操作表示部２３７を備えている。また、精査装置２００は、装置内部に、１枚取出部２１３、取込ローラ２１４、搬送路２１５、検査部２１６、集積部２２８乃至２３１、裁断部２３３、および排除集積部２３４を備える。また、精査装置２００は、主制御部２５１を備える。主制御部２５１は、精査装置２００の各部の動作を統合的に制御する。
【００５４】
積層券投入部２１２、１枚取出部２１３、取込ローラ２１４、および搬送路２１５は、本体処理装置１００の積層券供給部１１２、１枚取出部１１３、吸着ローラ１１４、搬送路１１５とそれぞれ同様の構成である。積層券投入部２１２は、供給された排除券を受け入れる。
【００５５】
１枚取出部２１３は、積層券投入部２１２の上部に設けられる。１枚取出部２１３は、取込ローラ２１４を備えている。取込ローラ２１４は、積層券投入部２１２にセットされた紙葉類Ｐを１枚ずつ装置内部に取り込む。取込ローラ２１４により取り込まれた紙葉類Ｐは、搬送路２１５に導入される。
【００５６】
搬送路２１５は、紙葉類Ｐを精査装置２００内の各部に搬送する。搬送路２１５は、図示しない搬送ベルトおよび駆動プーリなどを備えている。搬送路２１５は、図示しない駆動モータおよび駆動プーリにより搬送ベルトを動作させる。搬送路２１５は、取込ローラ２１４により取り込まれた紙葉類Ｐを搬送ベルトにより一定速度で搬送する。なお、搬送路２１５における１枚取出部２１３に近い側を上流側、裁断部２３３に近い側を下流側として説明する。なお、精査装置２００の搬送路２１５は、本体処理装置１００の搬送路１１５に比べて遅い速度で紙葉類Ｐを搬送する。
【００５７】
１枚取出部２１３から延びた搬送路２１５上には、検査部２１６が設けられている。検査部２１６は、不図示の画像読取装置、磁気検知装置、および厚み検査部などを備えている。検査部２１６は、紙葉類Ｐの光学的特徴情報、機械的特徴、および磁気的特長情報を検出する。これにより、精査装置２００は、紙葉類Ｐの種類（券種）、汚損度、および真偽などを検知する。
【００５８】
画像読取装置は、それぞれ搬送路２１５を挟んで対面するように対の状態で設けられている。画像読取装置は、搬送路２１５を搬送される紙葉類Ｐの両面の画像を読み取る。一対の画像読取装置は、それぞれ、イメージセンサを備える。精査装置２００は、画像読取装置により撮像した画像に基づいて、紙葉類Ｐの表面および裏面の模様画像を取得する。また、画像読取装置は、バッチカードＢＣに印字された識別情報の画像を取得し、取得した画像を主制御部２５１に送信する。
【００５９】
画像読取装置は、読み取った画像を検査部２１６内の図示しないメモリに一時的に記憶する。精査装置２００は、このメモリに記憶されている画像を操作入力に応じて操作表示部２３７に表示することができる。
【００６０】
厚み検査部は、搬送路２１５を搬送される紙葉類Ｐの厚みを検査する。例えば、検出した厚みが規定値以上である場合、精査装置２００は、紙葉類Ｐの２枚取りを検出する。また、磁気検出装置（磁気センサ）は、紙葉類Ｐの磁気的な特徴情報を検出する。操作表示部２３７は、オペレータに対して各種の操作案内、および処理結果などを表示する。なお、操作表示部２３７は、タッチパネルとして構成されていてもよい。この場合、精査装置２００は、操作表示部２３７に表示されるボタンと、操作表示部２３７に対するオペレータによる操作と、に基づいて、各種の操作入力を検知する。
【００６１】
主制御部２５１は、検査部２１６の各検出器により検出された検出結果（即ち、紙葉類Ｐから検出された画像、磁気、および厚みなど）に基づいて、各種の判別を行う。主制御部２５１は、紙葉類Ｐの券種、真偽、および正損などを判別する。
【００６２】
同じく主制御部２５１は画像読取装置の取得画像から紙葉類番号部分を切出して、文字認識機能により紙葉類番号を認識する。また、主制御部２５１は、紙葉類Ｐが排除すべきか否かを判別する。例えば、主制御部２５１は、偽券と判定された紙葉類Ｐ、または厚み検査部により重なりが検知された紙葉類Ｐ、または判別が不可能であった紙葉類Ｐを排除券であると判定する。また、主制御部２５１は、搬送経路中で前の紙葉類Ｐと後ろの紙葉類Ｐとの間隔が短い為に各検出器による検出が正しく行われないショートピッチが発生した紙葉類Ｐを排除券と判定する。また、主制御部２５１は、検査部２１６の画像読取装置により取得されたバッチカードＢＣの識別情報の画像に基づいて、バッチカード番号を認識することができる。
【００６３】
同じく主制御部２５１は、処理したすべての紙葉類Ｐの画像を取得し、紙葉類Ｐの画像、各検査器の検出値、処理日時、操作者名、紙葉類Ｐの種別、紙葉類番号、バッチカード番号、および他の情報などを対応付けて記憶する。
【００６４】
精査装置２００は、正券と判定した紙葉類Ｐを集積部２２８乃至２３１に搬送する。また、精査装置２００は、損券と判定した紙葉類Ｐを裁断部２３３に搬送する。運用によっては紙葉類Ｐと判別された券は正券および損券にかかわらず裁断部２３３に搬送する設定も可能である。
【００６５】
裁断部２３３は、裁断機２３３ａとスタッカ２３３ｂとを備える。裁断部２３３の裁断機２３３ａは、搬送される損券を裁断する。裁断部２３３は、裁断された紙葉類Ｐの紙片をスタッカ２３３ｂに蓄積する。このスタッカ２３３ｂは、外部から紙片を取り除くことができる取り出し口を備えている。即ち、オペレータは、取り出し口から裁断されたスタッカ２３３ｂに蓄積された紙葉類Ｐの紙片を取り出すことができる。
【００６６】
精査装置２００は、排除券と判定した紙葉類Ｐを排除集積部２３４に搬送する。排除券は、例えば、２枚取り券などの搬送異常券、折れまたは破れなどが存在する不良券、および適用外券種または偽券などの判別不能券を含む。また、精査装置２００は、紙葉類Ｐおよび紙葉類Ｐの間に挿入されたバッチカードＢＣを排除券として排除集積部２３４に搬送する。また、検査部２１６の下流側の搬送路２１５上には、図示しない複数のゲートが設けられている。ゲートは、それぞれ、主制御部２５１により制御される。主制御部２５１は、検査部２１６による検査の結果に基づいて各ゲートの動作を制御する。これにより、主制御部２５１は、搬送路２１５を搬送されている紙葉類Ｐを所定の処理部に搬送するように制御する。
【００６７】
また、主制御部２５１は、真券ではないと判定された排除券、または、検査部２１６による検査を行うことができない検査不能券等が排除集積部２３４に集積されるように各ゲートおよび搬送路を制御する。なお、排除集積部２３４は、集積された紙葉類Ｐをオペレータが取り出すことができるように構成されている。
【００６８】
また、主制御部２５１は、正券であると判別した紙葉類Ｐが集積部２２８乃至２３１（総じて集積部２３２と称する）に搬送されるように各ゲートおよび搬送路を制御する。また、主制御部２５１は、損券であると判別した紙葉類Ｐが裁断部２３３に搬送されるように各ゲートおよび搬送路を制御する。なお、主制御部２５１は、集積部２３２または裁断部２３３に搬送された紙葉類Ｐの画像、紙葉類Ｐの計数結果、紙葉類Ｐの種別、紙葉類Ｐの紙葉類番号のうち読取りできたすべての桁（文字）、バッチカード番号、および判定結果などを対応付けて、再検査結果として記憶する。また、主制御部２５１は、再検査結果を紙葉類照合装置３００に送信する。
【００６９】
なお、主制御部２５１は、検査部２１６の各検査器による検査項目ごとの閾値（第２の判定閾値）を予め記憶するメモリ２５１ａを備える。主制御部２５１は、検査部２１６の各検査器により検出された検出値と、メモリ２５１ａに記憶されている閾値とを比較し、比較結果に基づいて紙葉類Ｐの券種、真偽、正損、紙葉類Ｐが排除券であるか否かなどを判定する。
【００７０】
なお、メモリ２５１ａに記憶されている第２の判定閾値は、操作表示部２３７などに対する入力に基づいて変更されてもよい。オペレータは、本体処理装置１００から排出された排除券を取り出し、精査装置２００の投入部に供給する。なお、排除券は、排出された紙葉類Ｐと、バッチカードＢＣとが積層された状態で本体処理装置１００から排出される。排除券の計数および検査の結果は、主制御部２５１を介して搬送制御部２５２に通知される。検査の結果、裁断して失効させるべき紙幣であることが判断された排除券は、裁断部２３３に搬送されて裁断される。裁断された排除券は、空気搬送等の図示しない手段により次工程に搬送される。
【００７１】
一方、検査の結果、さらに再検査が必要と判断された再検査排除券は、排除券集積部２３４に集積され、再検査者の目視確認後、手作業により１枚取出部２１３に再投入される。当該入金バッチのすべての排除券が計数され、失効または登録されたことをオペレータが確認し、バッチ処理確認を入力すると、精査装置２００による当該入金バッチの精査が終了し、搬送制御部２５２にて計数情報が収集される。つまり、精査装置２００で計数した排除券の処理枚数と処理データが集計され、紙葉類照合装置３００に送信される。オペレータは精査装置２００に次の入金バッチのバッチカードＢＣと排除券を１枚投入部に投入し、精査処理を続行する。
【００７２】
図１１は、精査装置２００により実行される処理の流れを示すフローチャートである。まず、積層券投入部２１２が供給されたバッチカードＢＣと排除券を受け入れる（ステップＳ２００）。なお、このバッチカードＢＣと排除券は、図９のステップＳ１６６の処理により排除券集積に送られたものである。次に、主制御部２５１は、１枚取出部２１３を制御して、ステップＳ２００で受け入れた紙葉類Ｐを１枚ずつ装置内部に取り込む（ステップＳ２０２）。次に、主制御部２５１は、精査機２００が備える画像読取装置から紙葉類Ｐが撮像された画像を取得、および取得した画像の特徴を認識する（ステップＳ２０４）。
【００７３】
次に、主制御部２５１は、ステップＳ２０４で取得された画像がバッチカードＢＣであるか否かを判定する（ステップＳ２０６）。主制御部２５１は、ステップＳ２０４で取得された画像における光学的特徴情報が、バッチカードＢＣが撮像された画像における光学的特徴と合致するか否かにより、ステップＳ２０４で取得された画像がバッチカードＢＣであるか否かを判定する。合致とは、完全一致の他、部分一致も含む。ステップＳ２０４で取得された画像がバッチカードＢＣであると判定された場合、主制御部２５１は、ステップＳ２０４で取得した画像からバッチカード番号を読み取る（ステップＳ２０８）。主制御部１５１は、搬送制御部２５２を制御して、ステップＳ１００で投入されたバッチカードＢＣを排除集積部２３４に搬送させる（ステップＳ２１０）。
【００７４】
ステップＳ２０４で取得された画像がバッチカードＢＣでないと判定された場合、主制御部２５１は、ステップＳ２０４で取得した画像から紙葉類番号を読み取る（ステップＳ２１２）。次に、主制御部２５１は、ステップＳ２０４で取得された画像における紙葉類Ｐが有効な紙葉類Ｐであるか否かを判定する（ステップＳ２１４）。主制御部２５１は、画像における光学的特徴情報が、自装置の記憶領域に予め記憶された真券の光学的特徴と合致するか否かにより、ステップＳ２０４で取得された画像が有効であるか否かを判定する。また、主制御部２５１は、ステップＳ２０４で取得された画像における紙葉類Ｐの券種、汚損度等を判定する。ステップＳ２０４で取得された画像における紙葉類Ｐが有効な紙葉類Ｐである場合、主制御部２５１は、ステップＳ２１４の判定結果に基づいて、ゲートを制御して、ステップＳ２１４で有効と判定された紙葉類Ｐを所定の処理部に搬送するように制御する（ステップＳ２１６）。例えば正券と判定された紙葉類Ｐは、集積部２２８乃至２３１に搬送され、損券と判定された紙葉類Ｐは裁断部２３３に搬送される。
【００７５】
ステップＳ２０４で取得された画像における紙葉類Ｐが有効な紙葉類Ｐでない場合、主制御部２５１は、ステップＳ２０４で取得された画像における紙葉類Ｐが偽券であるか否かを判定する（ステップＳ２１８）。主制御部２５１は、ステップＳ２１４で有効でないと判定された紙葉類Ｐの画像を、精査装置２００に接続された端末装置の表示部（不図示）に表示させ、利用者に表示部に表示させた画像における紙葉類Ｐが偽券であるか否かを判定するように促す。例えばオペレータにより端末装置の入力部（不図示）に操作入力されることで、表示部に表示させた画像における紙葉類Ｐが偽券であるか否かが判定される。表示部に表示させた画像における紙葉類Ｐが偽券でないと判定された場合、ステップＳ２２４の処理に進む。表示部に表示させた画像における紙葉類Ｐが偽券であると判定された場合、主制御部２５１は、表示部に表示させた画像における紙葉類Ｐを、自装置が備える記憶領域に偽券登録し（ステップＳ２２０）、搬送制御部２５２を制御して紙葉類Ｐを排除集積部２３４に搬送させる（ステップＳ２２２）。
【００７６】
次に、主制御部２５１が、ステップＳ２００で受け入れた次の紙葉類Ｐがあるか否かを判定する（ステップＳ２２４）。ステップＳ２２４の判定で次の紙葉類Ｐがある場合、ステップＳ２０２の処理に戻る。ステップＳ２２４の判定で次の紙葉類Ｐがない場合、主制御部２５１は、精査装置２００による処理をクローズし（ステップＳ２２６）、紙葉類照合装置３００に上述したステップＳ２００からステップＳ２２６までの処理結果と処理に用いた情報を送信する（ステップＳ２２８）。これにより本フローチャートの処理を終了する。
【００７７】
［紙葉類照合装置３００］
紙葉類照合装置３００は、精査装置２００から送信された再検査結果と、本体処理装置１００から送信された検査結果とから同じバッチカード番号を持つ結果を組み合わせて一つの入金バッチに対する処理データとして再構成する。また、本体処理装置１００から送信された検査結果は、ストラップ情報を基に、更にストラップ単位に細分化して管理される。一方、精査装置２００から送信された再検査結果にはストラップ情報がないが、紙葉類照合装置３００は、本体処理装置１００の排除券の順番と紙葉類番号、精査装置２００で処理された損券と偽券の順番と紙葉類番号とから、精査装置２００で処理された検査結果を自動的にストラップ単位に再構成する。
【００７８】
ただし、精査装置２００で精査する際に再検査による排除券が発生して処理した順番が変わり、且つその排除券の紙葉類番号の読取りが完全でない場合は、自動での再構成は行わず、本体処理装置１００、精査装置２００それぞれの排除券の画像、読み取れた紙葉類番号の情報などを入力／表示部３５０に表示して、オペレータが必要により順番を入れ替えてストラップ情報単位の再構成を確定する。紙葉類照合装置３００は、本体処理装置１００で処理されたすべての入金バッチに対して精査装置２００での精査が完了すると、以下に説明するような照合処理を行う。
【００７９】
図１２は、紙葉類照合装置３００の機能構成を示す図である。紙葉類照合装置３００は、取得部３１０と、推定部３２０と、制御部３３０と、修正受付部３４０と、入力／表示部３５０とを備える。これらのうち推定部３２０、制御部３３０、および修正受付部３４０の機能部は、ＣＰＵ（Central Processing Unit）等のプロセッサが記憶部３６０に格納されたプログラムを実行することで機能するソフトウェア機能部である。なお、これらのソフトウェア機能部のうち一部または全部は、ＬＳＩ（Large Scale Integration）やＡＳＩＣ（Application Specific Integrated Circuit）等のハードウェア機能部であってもよい。また、紙葉類照合装置３００は、記憶部３６０を備える。記憶部３６０は、ＲＯＭ（Read Only Memory）やＲＡＭ（Random Access Memory）、ＨＤＤ、フラッシュメモリ等により実現される。
【００８０】
取得部３１０は、他の装置から情報を取得する通信インターフェースである。取得部３１０は、紙葉類Ｐを検査する本体処理装置１００により取得された複数の紙葉類Ｐの紙葉類番号、複数の紙葉類Ｐの区切り位置に対応付けられたストラップ情報、および紙葉類Ｐの画像を取得する。また、取得部３１０は、本体処理装置１００の検査により、更なる検査が必要であると判定された紙葉類Ｐを検査する精査装置２００から取得された紙葉類Ｐの紙葉類番号、および紙葉類Ｐの画像を取得する。
【００８１】
推定部３２０は、取得部３１０により精査装置２００から取得された紙葉類番号に対応する紙葉類Ｐに対するストラップ情報を、取得部３１０により精査装置２００から取得された紙葉類番号と、取得部３１０により本体処理装置１００から取得された複数の紙葉類番号とを対比することにより推定する。推定部３２０は、推定したストラップ情報を、精査装置２００から取得された紙葉類番号に対応付けて記憶部３６０に記憶させる。
【００８２】
制御部３３０は、取得部３１０や、入力／表示部３５０等の各部を統合的に制御する。制御部３３０は、推定部３２０の推定結果に基づいて取得部３１０により本体処理装置１００により取得された複数の紙葉類番号と、精査装置２００から取得された紙葉類番号と、ストラップ情報に対応する区切り位置との関係を視認可能に入力／表示部３５０に表示させる。
【００８３】
修正受付部３４０は、利用者の入力操作に基づいて、推定部３２０により推定された、取得部３１０により精査装置２００から取得された紙葉類番号とストラップ番号との関係の修正を受け付ける。また、修正受付部３４０は、記憶部３６０に記憶されたストラップ情報を入力操作画像の移動に応じて書き換える。
【００８４】
入力／表示部３５０は、例えば画像を表示すると共に、検出面にタッチ操作された場合に、そのタッチ位置に対応する座標を検出可能なタッチパネル式のタブレット端末である。タブレット端末は、制御部３３０の指示に基づいて画像を表示する。
【００８５】
入力／表示部３５０は、ＬＣＤ（Liquid Crystal Display）や有機ＥＬ（Electroluminescence）等の表示部と、座標検出機構により操作者のタッチ位置が検出可能な入力部とが重畳して構成される。入力／表示部３５０は、操作用のＧＵＩ（Graphical  User  Interface）スイッチを表示する。入力／表示部３５０は、ＧＵＩスイッチに対するタッチ操作、フリック操作、スワイプ操作などを検出したときに、ＧＵＩスイッチへのタッチ操作がなされたこと示す操作信号を生成して、制御部３３０に出力する。
【００８６】
また、記憶部３６０には、本体処理装置１００、および精査装置２００から送信された情報が記憶される。記憶部３６０には、例えばすべての入金バッチに対してバッチカード番号や、失効した券、登録した偽変造券の枚数、処理された紙葉類が撮像された画像、紙葉類番号等が記憶される。また、記憶部３６０は、情報テーブル３６２を格納する。図１３は、情報テーブル３６２として格納される情報の一部を示す図である。情報テーブル３６２は、例えば、本体処理装置１００で処理された紙葉類Ｐに対応するバッチカード番号、紙葉類番号、およびストラップ番号が、インデックスに対応付けられたテーブルデータである。また、情報テーブル３６２は、例えば精査装置２００で処理された紙葉類Ｐに対応するバッチカード番号、紙葉類番号、および後述する推定部３２０により推定されたストラップ番号が、インデックスに対応付けられたテーブルデータである。また、記憶部３６０には、本体処理装置１００および精査装置２００で撮像された画像であって、紙葉類番号に対応する紙葉類Ｐが撮像された画像が、紙葉類番号に対応付けられて記憶されている。また、バッチカード番号には、正券枚数、損券枚数、および排除券として処理された件数が、バッチカード番号に対応付けられて記憶されている。
【００８７】
図１４は、紙葉類照合装置３００により実行される処理の流れを示すフローチャートである。まず、制御部３３０が、オペレータにより処理の開始指示されるまで待機する（ステップＳ３００）。次に、ステップＳ３００で処理の開始指示を受け付けると、制御部３３０は、オペレータにより入力されるバッチカード番号を受け付けるまで待機する（ステップＳ３０２）。ステップＳ３０２で、オペレータによりバッチカード番号が入力されると、推定部３２０が照合処理を実行する（ステップＳ３０４）。照合処理の詳細については、図１７を用いて後述する。
【００８８】
次に、制御部３３０が、ステップＳ３０４での照合処理結果として、入力／表示部３５０にストラップ番号ごとに区切り位置を示して紙葉類Ｐを一覧表示する（ステップＳ３０６）。具体的には、制御部３３０は、本体処理装置１００により取得された複数の紙葉類Ｐの紙葉類番号と、精査装置２００から取得された紙葉類Ｐの紙葉類番号とを対比可能、且つストラップ番号に対応する区切り位置を示して入力／表示部３５０に表示する。
【００８９】
図１５は、ストラップ番号ごとに区切り位置を示して紙葉類Ｐを一覧表示する画像ＩＭの一例を示す図である。領域Ａ１は、例えば本体処理装置１００で排除券として処理された排除券の画像と紙葉類番号を示している。領域Ａ２は、例えば精査装置２００で処理された順における排除券の画像と紙葉類番号の一覧を示している。制御部３３０は、例えば画像ＩＭの横方向１列に整列させて、紙葉類番号が対応する本体処理装置１００における排除券が撮像された画像と紙葉類番号、および精査装置２００における排除券が撮像された画像と紙葉類番号を入力／表示部３５０に表示される。また、制御部３３０は、排除券の画像を整列させた状態でストラップ番号ごとの区切り位置を入力／表示部３５０に表示する。このストラップ番号ごとの区切り位置は、領域Ａ１と領域Ａ２とにおいて共通の区切り位置である。
【００９０】
次に、制御部３３０が、入力／表示部３５０を介してオペレータによるストラップ番号の修正を受け付けたか否かを判定する（ステップＳ３０８）。ステップＳ３０８でオペレータによるストラップ番号の修正を受け付けていない場合、ステップＳ３１２に進み、ステップＳ３０８でオペレータによるストラップ番号の修正を受け付けた場合、修正受付部３４０は、ストラップ番号を修正する（ステップＳ３１０）。オペレータは入力／表示部３５０に表示された画像に基づいてストラップ単位の区切り位置が正しい位置であるか確認する。例えばオペレータにより、紙葉類番号の認識不良等で区切り位置の修正が必要であると判定された場合、入力／表示部３５０が操作されることで区切り位置は、正しい区切り位置に修正される。
【００９１】
図１６は、区切り位置の修正について説明するための画像の一例を示す図である。例えば紙葉類番号の認識不良等により、推定部３２０によるストラップ番号の推定結果に修正が必要である場合、オペレータは、修正の必要がある紙葉類Ｐの画像を指示体でタッチ操作した状態で、画像をストラップ番号８の区切り位置を横切るように（ストラップ番号７の区切り位置に含まれる領域）にスライド操作させる（ドラッグアンドドロップ）。制御部３３０は、スライド操作に応じて紙葉類Ｐの画像を移動させるように入力／表示部３５０を制御する。これにより画像ＩＭ１は、画像ＩＭ２に示すように紙葉類Ｐがストラップ番号７の区切り位置に含まれるように遷移する。また、修正受付部３４０は、記憶部３６０に格納された情報テーブル３６２に付与されたストラップ推定結果を画像が移動したことにより属したストラップ番号７に修正する。
【００９２】
次に、制御部３３０は、次のバッチカードＢＣがあるか否かを判定する（ステップＳ３１２）。次のバッチカードＢＣがある場合、ステップＳ３０２に進み、次のバッチカードＢＣがない場合、制御部３３０は、オペレータからバッチ照合処理の指示を受け付けたか否かを判定する（ステップＳ３１４）。オペレータからバッチ照合処理の指示を受け付けた場合、制御部３３０は、バッチ照合処理を実行し、不一致のバッチがあるか否かを判定する（ステップＳ３１６）。制御部３３０は、例えば本体処理装置１００での正券枚数や、損券枚数、金額等、および精査装置２００での失効枚数や、金額の合計等が、事前に別処理で登録されていた入金データの紙葉類枚数や、金額等バッチカード番号と一致するか否かを自動計算する。
【００９３】
ステップＳ３１４でのバッチ照合処理の結果が不一致である場合、制御部３３０は、入力／表示部３５０に不一致のバッチを示す画像を表示し、オペレータによる確認、または修正を受け付ける（ステップＳ３１８）。例えばオペレータは、入力／表示部３５０を介して回収機関名、入金日付等の必要な情報を入力して確認処理を行う。次に、制御部３３０は、不一致のバッチを示す情報を含む異常レポートを出力する（ステップＳ３２０）。ステップＳ３１４でのバッチ照合処理の結果が不一致でない場合、およびステップＳ３２０の処理後、１連の処理であるシフトおよびバッチごとの処理結果を出力する（ステップＳ３２２）。これにより本フローチャートの処理は終了する。
【００９４】
図１７は、ステップＳ３０４の照合処理の詳細を示すフローチャートである。まず、推定部３２０が、精査装置２００で処理された紙葉類Ｐを１枚選択する（ステップＳ４００）。次に、推定部３２０は、ステップＳ４００で選択した紙葉類Ｐのバッチカード番号、および紙葉類番号を、記憶部３６０から取得する（ステップＳ４０２）。次に、推定部３２０が、ステップＳ４０２で取得したバッチカード番号、および紙葉類番号に合致する本体処理装置１００で処理された紙葉類Ｐがあるか否かを判定する（ステップＳ４０４）。合致とは、完全一致の他、部分一致も含む。例えば推定部３２０は、ステップＳ４０２で取得した紙葉類番号と、合致度が所定値（第１の基準）以上の本体処理装置１００で処理された紙葉類Ｐの紙葉類番号があるか否かを判定する。合致度が第１の基準以上であるとは、例えば紙葉類番号が１０桁である場合、紙葉類番号が８桁以上一致していることである。
【００９５】
ステップＳ４０２で取得したバッチカード番号、および紙葉類番号に合致する本体処理装置１００で処理された紙葉類Ｐがあると判定された場合、推定部３２０は、本体処理装置１００で処理された紙葉類Ｐに対応するストラップ番号を、精査装置２００で処理された紙葉類Ｐに対して付与する（ステップＳ４０６）。これによって、精査装置２００で処理された紙葉類Ｐは、ストラップ番号によって表される紙葉類Ｐのグループに属することになる。
【００９６】
ステップＳ４０２で取得したバッチカード番号、および紙葉類番号に合致する本体処理装置１００で処理された紙葉類Ｐがないと判定された場合、推定部３２０が、リジェクト処理する（ステップＳ４０８）。リジェクト処理とは、ストラップ番号を付与することができない紙葉類Ｐとして扱う処理である。この場合、推定部３２０は、ストラップ番号の推定結果は不可と判定する。制御部３３０は、推定部３２０により推定不可と判定された紙葉類Ｐの画像と共に、ストラップ番号の推定が不可であることを示す情報を入力／表示部３５０に表示する。この場合、制御部３３０は、例えば入力／表示部３５０において推定部３２０によりストラップ番号の推定がされた紙葉類Ｐの画像の後に、推定部３２０によりストラップ番号の推定が不可であった紙葉類Ｐの画像、または識別情報と、リジェクト処理として扱われた紙葉類Ｐに対応するリジェクト処理を示す区切り位置との関係を視認可能に入力／表示部３５０に表示させる。
【００９７】
次に、推定部３２０は、全ての紙葉類Ｐの処理が実行されたか否かを判定する（ステップＳ４１０）。全ての紙葉類Ｐの処理がされていない場合、ステップＳ４１０の処理に戻り、全ての紙葉類Ｐの処理がされている場合、本フローチャートの処理は終了する。
【００９８】
ここで図１７のステップＳ４０４の処理において、推定部３２０がステップＳ４０２で取得したバッチカード番号、および紙葉類番号に合致する本体処理装置１００で処理された紙葉類Ｐがないと判定された場合の一例について説明する。この場合、推定部３２０は、ストラップ番号が推定できない紙葉類Ｐのストラップ番号を、ストラップ番号を推定できない紙葉類Ｐの直前と直後に処理された紙葉類Ｐに付与されたストラップ番号と推定してもよい。また、推定の対象となる紙葉類Ｐの直前と直後に処理された紙葉類Ｐに付与されたストラップ番号が異なる場合、事前に設定した条件や、優先度を用いて推定するストラップ番号を推定してもよい。
【００９９】
推定部３２０は、例えば推定の対象となる紙葉類Ｐの直前と直後に処理された紙葉類Ｐに付与されたストラップ番号のうち、ストラップ番号の小さいストラップ番号を推定の対象となる紙葉類Ｐのストラップ番号と推定する。図１８は、ストラップ番号の小さいストラップ番号を推定の対象となる紙葉類Ｐのストラップ番号と推定した場合に、入力／表示部３５０に表示される画像ＩＭ３の一例を示す図である。例えば本体処理装置１００において紙葉類Ｐが２枚重ねて取り出された状態で処理され、精査装置２００においては１枚ずつ紙葉類Ｐが処理された場合、画像ＩＭ３に示すように精査装置２００で処理された紙葉類Ｐ１と対になる紙葉類Ｐは表示されないこととなる。そして、推定部３２０は、本体処理装置１００で処理された紙葉類Ｐ１と合致する紙葉類番号を有する紙葉類Ｐを抽出できない。この場合、推定部３２０は、推定の対象となる紙葉類Ｐの直前と直後に処理された紙葉類Ｐに付与されたストラップ番号のうち、ストラップ番号の小さいストラップ番号を推定の対象となる紙葉類Ｐのストラップ番号と推定する。これにより精査装置２００で処理された紙葉類Ｐは、推定されたストラップ番号によって表される紙葉類Ｐのグループに属することになる。
【０１００】
ここで、図１７のステップＳ４０４の処理において、推定部３２０がステップＳ４０２で取得したバッチカード番号、および紙葉類番号に合致する本体処理装置１００で処理された紙葉類があるか否かを判定する処理の応用例について説明する。推定部３２０は、例えばステップＳ４０２で取得したバッチカード番号、および紙葉類番号に合致する本体処理装置１００で処理された紙葉類Ｐがあるか否かの判定に加え、更にオペレータによる確認が必要であるか否かを判定してもよい。
【０１０１】
例えば推定部３２０は、ステップＳ４０２で取得したバッチカード番号、および紙葉類番号に部分一致する本体処理装置１００で処理された紙葉類Ｐであって、合致度が第１の基準以上かつ第１の基準より高い基準である第２の基準未満である紙葉類Ｐがある場合、ステップＳ３０６の処理において、オペレータによる確認が必要であることを示す情報を紙葉類Ｐの画像と共に入力／表示部３５０に表示してもよい。合致度が第１の基準以上かつ第２の基準未満であるとは、例えば、例えば紙葉類番号が１０桁である場合、紙葉類番号が９桁一致しているが、１０桁は一致していないことである。図１９は、ステップＳ４０４の処理の判定により入力／表示部３５０に表示される情報を示す画像の一例を示す図である。図中、紙葉類Ｐ２に示すように、オペレータによる確認が必要である場合、確認が必要であることを注意喚起する情報である「要確認」を紙葉類Ｐの画像に重畳させて表示させる。また、例えば制御部３３０は、推定部３２０によりステップＳ４０２で取得したバッチカード番号と、本体処理装置１００で処理された紙葉類Ｐの紙葉類番号との合致度を紙葉類Ｐの画像と共に入力／表示部３５０に表示してもよい。
【０１０２】
また、推定部３２０は、精査装置２００において入力／表示部３５０に表示する画像に対応する紙葉類Ｐに対して、偽券の登録（図１１；ステップＳ２２０）がされている場合、図中、紙葉類Ｐ３に示すように偽券の登録がされていることを示す情報「偽券」を紙葉類Ｐの画像に重畳させて表示させてもよい。
【０１０３】
以上説明した少なくともひとつの実施形態によれば、紙葉類照合装置３００の推定部３２０が、取得部３１０により精査装置２００から取得された紙葉類番号とストラップ情報の関係を、取得部３１０により精査装置２００から取得された紙葉類番号と、取得部３１０により本体処理装置１００から取得された複数の紙葉類番号とを対比することにより推定し、制御部３３０が、推定部３２０の推定結果に基づいて取得部３１０により本体処理装置１００により取得された複数の紙葉類番号と、精査装置２００から取得された紙葉類番号と、ストラップ情報に対応する区切り位置との関係を視認可能に入力／表示部３５０に表示させる。この結果、本体処理装置１００で処理された紙葉類Ｐのストラップ番号と、精査装置２００で推定された紙葉類Ｐのストラップ番号とを照合できるため、利用者の利便性を向上させることができる。
【０１０４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０５】
１…紙葉類照合システム、１００…本体処理装置、２００…精査装置、３００…紙葉類照合装置、３１０…取得部、３２０…推定部、３３０…制御部、３４０…修正受付部、３５０…入力／表示部、３６０…記憶部
【図１】
2016170673.tif 000003
【図２】
2016170673.tif 000004
【図３】
2016170673.tif 000005
【図４】
2016170673.tif 000006
【図５】
2016170673.tif 000007
【図６】
2016170673.tif 000008
【図７】
2016170673.tif 000009
【図８】
2016170673.tif 000010
【図９】
2016170673.tif 000011
【図１０】
2016170673.tif 000012
【図１１】
2016170673.tif 000013
【図１２】
2016170673.tif 000014
【図１３】
2016170673.tif 000015
【図１４】
2016170673.tif 000016
【図１５】
2016170673.tif 000017
【図１６】
2016170673.tif 000018
【図１７】
2016170673.tif 000019
【図１８】
2016170673.tif 000020
【図１９】
2016170673.tif 000021